(57)【要約】  本明細書では、レンボルグと称されるチア（サルビア・ヒスパニカＬ．）、その種子、その雑種、その製品、及びそれに由来する栽培品種が記載される。レンボルグ品種は、他の典型的なチア品種又は野生型チアと比較して均一な白色種子、より重い種子重、及びより大きい種子収量を有する。【選択図】図１
2021506336.tif 000002
【特許請求の範囲】
【請求項１】
種子の代表的サンプルがＡＴＣＣ特許受託番号ＰＴＡ−１２４７５８として寄託されているレンボルグと称されるチア（サルビア・ヒスパニカＬ．）品種の種子。
【請求項２】
種子の少なくとも約９９％が白色の種子色を有する、請求項１に記載の種子。
【請求項３】
少なくとも約１４００ｍｇ／千粒の平均種子重を有する、請求項１又は２に記載の種子。
【請求項４】
請求項１〜３のいずれか一項に記載の種子の１以上から生産される植物製品。
【請求項５】
チア種子、オイル、ミール、タンパク質、繊維、これらの派生物、又はこれらの組合せを含む、請求項４に記載の植物製品。
【請求項６】
請求項１〜３のいずれか一項に記載の種子の１以上から生産されるチアオイル又はミール。
【請求項７】
請求項１〜３のいずれか一項に記載の種子の１以上から生産されるチアオイルを含む、化粧品又は美容製品。
【請求項８】
請求項１〜３のいずれか一項に記載のチア種子を含む食品。
【請求項９】
請求項１〜３のいずれか一項に記載の種子を栽培することにより生産されるチア植物、又はその一部。
【請求項１０】
遺伝子工学又は突然変異誘発を用いずに生産される、請求項９に記載のチア植物。
【請求項１１】
請求項９に記載の２個体以上のチア植物を含む均質集団。
【請求項１２】
１ヘクタール当たり平均少なくとも約１５００キログラムの種子の収量がある、請求項１１に記載の均質集団。
【請求項１３】
チア植物が、チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含むか、又はその種子に前記１以上の形質を付与する、請求項９に記載のチア植物。
【請求項１４】
胚、分裂組織細胞、葉、子葉、胚軸、根、根端、茎、雌蘂、葯、胚珠、花、花粉、又は種子を含む植物部分から生産される、請求項９に記載のチア植物から生産される細胞の組織培養物。
【請求項１５】
種子の代表的サンプルがＡＴＣＣ特許受託番号ＰＴＡ−１２４７５８として寄託されている品種レンボルグの形態学的及び生理学的特徴を含む、請求項１４に記載の組織培養物から再分化したチア（サルビア・ヒスパニカＬ．）植物。
【請求項１６】
種子の代表的サンプルがＡＴＣＣ特許受託番号ＰＴＡ−１２４７５８として寄託されているレンボルグと称される品種のチア（サルビア・ヒスパニカＬ．）植物又は植物部分。
【請求項１７】
１ヘクタール当たり平均少なくとも約１５００キログラムの種子の収量がある、請求項１６に記載の２個体以上のチア植物の均質集団。
【請求項１８】
請求項１６に記載の植物から生産される種子。
【請求項１９】
種子の少なくとも約９９％が白色の種子色を有する、請求項１８に記載の種子。
【請求項２０】
少なくとも約１４００ｍｇ／千粒の平均種子重を有する、請求項１８又は１９に記載の種子。
【請求項２１】
植物又は植物部分が、チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む、請求項１６に記載の植物。
【請求項２２】
チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む、請求項１６に記載の植物の後代。
【請求項２３】
種子の代表的サンプルがＡＴＣＣ特許受託番号ＰＴＡ−１２４７５８として寄託されているレンボルグと称されるチア（サルビア・ヒスパニカＬ．）品種の生殖質。
【請求項２４】
請求項２３に記載のチア生殖質を含むチア植物。
【請求項２５】
種子の代表的サンプルがＡＴＣＣ特許受託番号ＰＴＡ−１２４７５８として寄託されている請求項２４に記載のチア植物により生産される種子。
【請求項２６】
種子の少なくとも約９９％が白色の種子色を有する、請求項２５に記載の種子。
【請求項２７】
約１４００ｍｇ／千粒を超える平均種子重を有する、請求項２５又は２６に記載の種子。
【請求項２８】
１ヘクタール当たり平均少なくとも約１５００キログラムの種子の収量がある、請求項２４に記載のチア植物の均質集団。
【請求項２９】
チア種子を生産するための方法であって、
（ａ）種子の代表的サンプルがＡＴＣＣ特許受託番号ＰＴＡ−１２４７５８として寄託されているレンボルグと称されるチア（サルビア・ヒスパニカＬ．）品種の種子を、それ自体と又は異なるチア品種からの種子と受粉する近さに植え付けること；
（ｂ）受粉する近さに植え付けた種子から植物を栽培すること；及び
（ｃ）生じた１以上のチア種子を収穫すること
を含む、方法。
【請求項３０】
前記種子が約１４００ｍｇ／千粒を超える平均種子重を有する又は１ヘクタール当たり少なくとも約１５００キログラムの平均種子収量を有する、請求項２９に記載の方法。
【請求項３１】
チア（サルビア・ヒスパニカＬ．）品種レンボルグ種子を生産するための方法であって、
（ａ）種子の代表的サンプルがＡＴＣＣ特許受託番号ＰＴＡ−１２４７５８として寄託されているレンボルグと称されるチア植物（サルビア・ヒスパニカＬ．）品種を、第２の異なるチア（サルビア・ヒスパニカＬ．）品種レンボルグの植物と交雑させてＦ1チア種子を生産すること；及び
（ｂ）前記Ｆ1チア種子を収穫すること
を含む、方法。
【請求項３２】
請求項３１に記載の方法により生産されるＦ1チア（サルビア・ヒスパニカＬ．）種子。
【請求項３３】
所望の形質をチア（サルビア・ヒスパニカＬ．）品種レンボルグに導入する方法であって、
（ａ）種子の代表的サンプルがＡＴＣＣ特許受託番号ＰＴＡ−１２４７５８として寄託されているレンボルグと称されるチア植物（サルビア・ヒスパニカＬ．）品種を、所望の形質を含む別のチア（サルビア・ヒスパニカＬ．）品種の植物と交雑させてＦ1後代植物を生産すること；
（ｂ）所望の形質を有する１個体以上の後代植物を選抜して、選抜後代植物を得ること；
（ｃ）前記選抜後代植物を前記レンボルグ植物と交雑させて、戻し交雑後代植物を生産すること；
（ｄ）所望の形質を有する戻し交雑後代植物を選抜すること；及び
（ｅ）工程（ｃ）及び（ｄ）を連続３回以上繰り返して、所望の形質を含む第４代以降の戻し交雑後代植物を生産すること
を含む、方法。
【請求項３４】
植物が、種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含む、請求項３３に記載の方法により生産されるチア（サルビア・ヒスパニカＬ．）植物。
【請求項３５】
所望の形質が、チア植物の他の品種と比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せのうち１以上を含む、請求項３４に記載のチア（サルビア・ヒスパニカＬ．）植物。
【請求項３６】
種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含むチア（サルビア・ヒスパニカＬ．）植物を選抜するための方法であって、
複数回の集団選抜を実施すること；及び
複数回の個体選抜を実施すること
を含み、
前記選抜が白色の種子色、種子重の増大、又は種子収量の増大のうち１以上に関する選抜である、方法。
【発明の詳細な説明】
【技術分野】
【０００１】
関連出願の相互参照
本願は、２０１７年１２月１８日出願の米国仮特許出願第６２／６０７，０２６号及び２０１８年３月１４日出願の米国仮特許出願第６２／６４２，６６２号の優先権を主張するものであり、これらはそれぞれ全内容が本明細書の一部として援用される。
【０００２】
技術分野
本明細書では、レンボルグ（Ｒｅｈｎｂｏｒｇ）と称される（ｄｅｓｉｇｎａｔｅｄ）新規なチア（サルビア・ヒスパニカＬ．（Ｓａｌｖｉａ  ｈｉｓｐａｎｉｃａ  Ｌ．））品種、その種子、その雑種、その製品、及びそれに由来する栽培品種が記載される。
【背景技術】
【０００３】
背景
チア（サルビア・ヒスパニカＬ．）はシソ科（Ｌａｍｉａｃｅａｅ  ｏｒ  ｍｉｎｔ  ｆａｍｉｌｙ）に属する。チア植物は、草丈約１．７５ｍに達する１年生の双子葉植物である。この植物は、長さ４〜８ｃｍ、幅３〜５ｃｍの対生葉を有する。花は紫、青、又は白で、花序は、花軸に６個以上の花が付く小花柄である。チア種子は、直径約１ｍｍの小さな卵形である。種子色は、黒、茶、まだら、又は白の場合がある。チアは、ω−３多価不飽和脂肪酸が豊富なその種子のために商業的に栽培される（総脂質の５８〜６４％；種子重の３１〜３５％脂質）。チア及びチアオイルは、ヒト及び動物の食品として使用され、オイルは化粧品及び塗料に使用される。チア種子はまた、タンパク質（種子重の１６〜２４％）及び繊維（種子重の３４〜５６％）も豊富である。Ｓｏｓａら，  “Ｃｈｉａ  ｃｒｏｐ  （Ｓａｌｖｉａ  ｈｉｓｐａｎｉｃａ  Ｌ．）：  ｉｔｓ  ｈｉｓｔｏｒｙ  ａｎｄ  ｉｍｐｏｒｔａｎｃｅ  ａｓ  ａ  ｓｏｕｒｃｅ  ｏｆ  ｐｏｌｙｕｎｓａｔｕｒａｔｅｄ  ｆａｔｔｙ  ａｃｉｄｓ  ｏｍｅｇａ−３  ａｒｏｕｎｄ  ｔｈｅ  ｗｏｒｌｄ：  ａ  ｒｅｖｉｅｗ，”  Ｊ．  Ｃｒｏｐ  Ｒｅｓ．  Ｆｅｒｔ．  １（１０４）：  １−９  （２０１６）。
【０００４】
チアは、紀元前２６００年前後にメソアメリカで栽培化され、紀元前１５００年〜９００年の間にメキシコで主食であった。Ｂａｇｉｎｓｋｙら“Ｇｒｏｗｔｈ  ａｎｄ  ｙｉｅｌｄ  ｏｆ  ｃｈｉａ  （Ｓａｌｖｉａ  ｈｉｓｐａｎｉｃａ  Ｌ．）  ｉｎ  ｔｈｅ  Ｍｅｄｉｔｅｒｒａｎｅａｎ  ａｎｄ  ｄｅｓｅｒｔ  ｃｌｉｍａｔｅｓ  ｏｆ  Ｃｈｉｌｅ，”  Ｃｈｉｌｅａｎ  Ｊ．  Ａｇｒｉｃ．  Ｒｅｓ．  ７６（３）：  ２５５−２６４  （２０１６）参照。チアは一般に、オーストラリア、ボリビア、コロンビア、グアテマラ、メキシコ、ペルー、及びアルゼンチンなどの、北緯２０°５５’〜南緯２５°０５’の範囲の緯度及び高度は平均海抜４００ｍ〜２５００ｍの熱帯及び亜熱帯地域で栽培されている。この植物は、全ての生育段階で霜に影響を受けやすく、一般に、それより高い緯度及び高度では栽培できない。
【０００５】
メキシコは、商業的チアの大部分を生産し、ピンタ（Ｐｉｎｔａ）品種が最も栽培されているチア品種である。Ｃａｈｉｌｌ，  “Ｈｕｍａｎ  ｓｅｌｅｃｔｉｏｎ  ａｎｄ  ｄｏｍｅｓｔｉｃａｔｉｏｎ  ｏｆ  ｃｈｉａ  （Ｓａｌｖｉａ  ｈｉｓｐａｎｉｃａ  Ｌ．），”  Ｊ．  Ｅｔｈｎｏｂｉｏｌ．  ２５：１５５−１７４  （２００５）。ピンタは、メキシコのハリスコ州原産であり、メキシコで栽培されているチアのおよそ８０％がピンタ品種である。Ｃａｈｉｌｌ，  “Ｅｔｈｎｏｂｏｔａｎｙ  ｏｆ  Ｃｈｉａ  Ｓａｌｖｉａ  ｈｉｓｐａｎｉｃａ  Ｌ．  （Ｌａｍｉａｃｅａｅ），”  Ｅｃｏｎ．  Ｂｏｔ．  ５７：  ６０４−６１８  （２００３）。ピンタは、黒９に対して白１の比率で黒色種子と白色種子が混ざったものを生産する。Ｒｏｖａｔｉら“Ｐａｒｔｉｃｕｌａｒｉｄａｄｅｓ  ｄｅ  ｌａ  ｓｅｍｉｌｌａ  ｄｅ  ｃｈｉａ  （Ｓａｌｖｉａ  ｈｉｓｐａｎｉｃａ  Ｌ．），”  ＥＥＡＯＣ  −  Ａｖａｎｃｅ  Ａｇｒｏｉｎｄｕｓｔｒｉａｌ．  ３３：  ３９−４３  （２０１２）参照。メキシコのハリスコ州のＣｈｉａｂｌａｎｃａ  ＳＣ  ＤＥ  ＲＬ  Ｃｏｍｐａｎｙ社は、白色種子：黒色種子が２４：１（約９６％白色種子）の比率を生産するＷｈｉｔｅ  Ａｃａｔｉｃとして知られる品種を開発した。
【０００６】
サヒ・アルバ（Ｓａｈｉ  Ａｌｂａ）９１４品種は、アルゼンチンで、米国デラウェア州ドーバー所在のＴＦＳＢ  ＬＬＣ社により開発された。本明細書の一部として援用される米国特許第９，６８６，９２６号参照。ハートランド（ハートランド）品種は、米国ケンタッキー州レキシントンのケンタッキー大学により開発された。本明細書の一部として援用される米国特許第８，５８６，８３１号参照。ハートランドには白色種子を持つものと黒色種子を持つものの２つの表現形態がある。サヒ・アルバ９１４とハートランドの一方の表現形態はどちらも均一な白色種子を有する。これらの品種は、日長が１２．５時間を超える北緯２３°以北又は南緯２３°以南の緯度で開花するように開発された。サヒ・アルバ９１４品種及びハートランド品種は、米国及びアルゼンチンの、一般により冷涼で、硬氷結が起こる農業地帯でチア種子を生産することができる。Ｓｏｓａら“Ｃｈｉａ  ｃｒｏｐ  （Ｓａｌｖｉａ  ｈｉｓｐａｎｉｃａ  Ｌ．）：  ｉｔｓ  ｈｉｓｔｏｒｙ  ａｎｄ  ｉｍｐｏｒｔａｎｃｅ  ａｓ  ａ  ｓｏｕｒｃｅ  ｏｆ  ｐｏｌｙｕｎｓａｔｕｒａｔｅｄ  ｆａｔｔｙ  ａｃｉｄｓ  ｏｍｅｇａ−３  ａｒｏｕｎｄ  ｔｈｅ  ｗｏｒｌｄ：  ａ  ｒｅｖｉｅｗ，”  Ｊ．  Ｃｒｏｐ  Ｒｅｓ．  Ｆｅｒｔ．  １（１０４）：  １−９  （２０１６）参照。
【０００７】
種子色及び種子重（ｓｅｅｄ  ｍａｓｓ）の両方が商業的チア生産に重要である。色及び複数の種子色の混合（例えば、黒、茶、まだら、又は白）は、製品の最終的な色に影響を及ぼし、収穫物間の色の不一致をもたらし得る。これはシードオイルが化粧品に使用される場合に特に重要である。均一な種子色が望ましく、白色種子が好ましく、これはそのオイルがより薄い色を持つためである。加えて、商業作物には高い種子重が好ましく、これは各種子がより多くの生成物を生産するためである。チアの現商業品種は、千粒当たり約８４０〜約１３２５ｍｇの範囲で変動する種子重を有する。下記の表１を参照。この変動は種子産物の収穫量に影響を及ぼす。種子重が軽いほど、１ヘクタール当たりの種子の収量は少なくなる。
【発明の概要】
【０００８】
従来の育種努力は主として栽培チア品種又は温帯地域で栽培可能なものの開発に傾注されてきた。均一な種子色及び高い種子収量を有するチア品種を作出することにはあまり努力がなされていなかった。よって、均一な種子色、より重い種子重、及び高い種子収量を有する新規なチア（サルビア・ヒスパニカＬ．）品種を開発する必要がある。
【０００９】
本明細書では、レンボルグと称されるチア（サルビア・ヒスパニカＬ．）品種、その種子、その雑種、その製品、及びそれに由来する栽培品種が記載される。レンボルグ品種は、他のチア品種及び野生型チア植物に比べて、均一な白色種子、より高い種子収量、及びより重い種子重を有する。
【００１０】
本明細書に記載の一実施形態は、種子の代表的サンプルがＡＴＣＣ特許受託番号ＰＴＡ−１２４７５８として寄託されている、レンボルグと称されるチア（サルビア・ヒスパニカＬ．）品種の種子である。一態様では、種子の少なくとも約９９％が白色の種子色を有する。別の態様では、種子は、少なくとも約１４００ｍｇ／千粒の平均種子重を有する。
【００１１】
本明細書に記載される別の実施形態は、レンボルグ品種種子の１以上から生産される植物製品である。一態様では、その製品は、チア種子、オイル、ミール、タンパク質、繊維、これらの派生物、又はこれらの組合せを含む。別の態様は、レンボルグ品種種子の１以上から生産されるチアオイル又はミールである。別の態様は、レンボルグ品種種子の１以上から生産されるチアオイルを含む化粧品又は美容製品である。別の態様は、レンボルグ品種種子の１以上を含む食品である。
【００１２】
本明細書に記載の別の実施形態は、種子の代表的サンプルがＡＴＣＣ特許受託番号ＰＴＡ−１２４７５８として寄託されているレンボルグと称されるチア（サルビア・ヒスパニカＬ．）品種の種子を栽培することにより生産されるチア植物、又はその一部である。一態様では、植物は、遺伝子工学又は突然変異誘発を用いずに生産される。別の態様は、レンボルグ品種種子を栽培することにより生産される２個体以上のチア植物を含む均質集団である。別の態様では、レンボルグ品種種子を栽培することにより生産される２個体以上のチア植物を含む均質集団は、１ヘクタール当たり平均少なくとも約１５００キログラムの種子の収量である。別の態様では、レンボルグチア植物は、チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大（ｉｎｃｒｅａｓｅｄ  ｐｈｏｔｏｐｅｒｉｏｄ）、除草剤耐性、耐虫性の増大、耐病性の増大、又はこれらの組合せを含む１以上の形質を含むか、又はその種子に前記１以上の形質を付与する。
【００１３】
本明細書に記載の別の実施形態は、レンボルグチア植物から生産される細胞の組織培養物であり、それらの細胞は、胚、分裂組織細胞、葉、子葉、胚軸、根、根端、茎、雌蘂、葯、胚珠、花、花粉、又は種子を含む植物部分から生産される。別の態様は、組織培養物から再分化したチア（サルビア・ヒスパニカＬ．）植物であり、このチア植物は、種子の代表的サンプルがＡＴＣＣ特許受託番号ＰＴＡ−１２４７５８として寄託されている品種レンボルグの形態学的及び生理学的特徴を含む。
【００１４】
本明細書に記載の別の実施形態は、種子の代表的サンプルがＡＴＣＣ特許受託番号ＰＴＡ−１２４７５８として寄託されているレンボルグと称される品種のチア（サルビア・ヒスパニカＬ．）植物又は植物部分である。一態様は、２個体以上のレンボルグチア植物の均質集団であり、その集団は、１ヘクタール当たり平均少なくとも約１５００キログラムの種子の収量である。別の態様は、レンボルグチア植物から生産されるチア種子である。別の態様では、レンボルグ種子の少なくとも約９９％が白色の種子色を有する。別の態様では、レンボルグチア種子は、少なくとも約１４００ｍｇ／千粒の平均種子重を有する。別の態様では、レンボルグチア植物又は植物部分は、チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む。
【００１５】
本明細書に記載の別の実施形態は、レンボルグチア植物の後代であり、その後代は、チア植物の他の品種又は野生型チアと比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む。
【００１６】
本明細書に記載の別の実施形態は、種子の代表的サンプルがＡＴＣＣ特許受託番号ＰＴＡ−１２４７５８として寄託されているレンボルグと称されるチア（サルビア・ヒスパニカＬ．）品種の生殖質である。一態様は、レンボルグチア品種生殖質を含むチア植物である。別の態様は、レンボルグチア品種生殖質を含むチア植物により生産されるチア種子である。別の態様では、そのチア種子の少なくとも約９９％が白色の種子色を有する。別の態様では、そのチア種子は、約１４００ｍｇ／千粒より重い平均種子重を有する。別の態様は、レンボルグチア品種生殖質を含むチア植物の均質集団であり、その集団は、１ヘクタール当たり平均少なくとも約１５００キログラムの種子の収量がある。別の態様は、レンボルグチア品種生殖質を含む後代植物である。別の態様は、レンボルグチア品種生殖質を含む植物製品である。
【００１７】
本明細書に記載の別の実施形態は、チア種子を生産するための方法であって、（ａ）種子の代表的サンプルがＡＴＣＣ特許受託番号ＰＴＡ−１２４７５８として寄託されているレンボルグと称されるチア（サルビア・ヒスパニカＬ．）品種の種子を、それ自体と又は異なるチア品種からの種子と受粉する近さに植え付けること；（ｂ）受粉する近さに植え付けた種子から植物を栽培すること；及び（ｃ）生じた１以上のチア種子を収穫することを含む方法である。一態様では、チア種子は、約１４００ｍｇ／千粒より重い平均種子重又は１ヘクタール当たり少なくとも約１５００キログラムの種子の平均種子収量を有する。別の態様は、前記方法により生産されるチア種子からの植物製品である。一態様では、植物製品は、チア種子、オイル、又はミールである。別の態様は、前記方法により生産されるチア種子からの植物製品を含む食品又は化粧品である。別の態様は、前記方法により生産されるチア種子から栽培される後代植物である。
【００１８】
本明細書に記載の別の実施形態は、チア（サルビア・ヒスパニカＬ．）品種レンボルグ種子を生産するための方法であって、（ａ）種子の代表的サンプルがＡＴＣＣ特許受託番号ＰＴＡ−１２４７５８として寄託されているレンボルグと称されるチア植物（サルビア・ヒスパニカＬ．）品種を、第２の異なるチア（サルビア・ヒスパニカＬ．）品種レンボルグの植物と交雑させてＦ1チア種子を生産すること；及び（ｂ）前記Ｆ1チア種子を収穫することを含む方法である。別の態様は、前記方法により生産されるＦ1チア（サルビア・ヒスパニカＬ．）種子である。別の態様は、前記方法により生産されるチア植物又は種子からの植物製品である。別の態様は、前記方法により生産されるチア植物又は種子からの後代植物又は種子である。
【００１９】
本明細書に記載の別の実施形態は、所望の形質をチア（サルビア・ヒスパニカＬ．）品種レンボルグに導入する方法であって、（ａ）種子の代表的サンプルがＡＴＣＣ特許受託番号ＰＴＡ−１２４７５８として寄託されているレンボルグと称されるチア植物（サルビア・ヒスパニカＬ．）品種を、所望の形質を含む別のチア（サルビア・ヒスパニカＬ．）品種の植物と交雑させてＦ1後代植物を生産すること；（ｂ）所望の形質を有する１個体以上の後代植物を選抜して、選抜後代植物を得ること；（ｃ）前記選抜後代植物を前記レンボルグ植物と交雑させて、戻し交雑後代植物を生産すること；（ｄ）所望の形質を有する戻し交雑後代植物を選抜すること；及び（ｅ）工程（ｃ）及び（ｄ）を連続３回以上繰り返して、所望の形質を含む第４代以降の戻し交雑後代植物を生産することを含む方法である。別の態様は、前記方法により生産されるチア（サルビア・ヒスパニカＬ．）植物であり、その植物は、種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含む。一態様では、所望の形質は、チア植物の他の品種と比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せのうち１以上を含む。別の態様は、前記方法により生産されるチア植物又は種子からの植物製品である。別の態様は、前記方法により生産されるチア植物又は種子からの後代植物又は種子である。
【００２０】
本明細書に記載の別の実施形態は、種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含むチア（サルビア・ヒスパニカＬ．）植物を選抜するための方法であって、複数回の集団選抜を実施すること；及び複数回の個体選抜を実施することを含み、前記選抜が白色の種子色、種子重の増大、又は種子収量の増大のうち１以上に関する選抜である方法である。一態様は、前記方法により生産されるチア植物であり、その植物は、種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含む。別の態様は、前記方法により生産される植物からのチア種子であり、その植物は、種子の代表的サンプルがＡＴＣＣ特許受託番号ＰＴＡ−１２４７５８として寄託されているチア（サルビア・ヒスパニカＬ．）品種レンボルグの形質並びに生理学的及び形態学的特徴を含む。別の態様は、前記方法により生産されるチア植物又は種子の生殖質であり、その植物又は種子は、チア（サルビア・ヒスパニカＬ．）品種レンボルグの形質並びに生理学的及び形態学的特徴を含む。別の態様は、前記方法により生産されるチア植物又は種子からの植物製品である。別の態様は、前記方法により生産されるチア植物又は種子からの後代植物又は種子である。
【図面の簡単な説明】
【００２１】
【図１】レンボルグ品種に至る選抜サイクル中の種子サンプル。表２は、全選抜サイクルを示す。種子サンプル：（Ａ）１回目の集団選抜（２０１０）、白色種子８％；（Ｂ）２回目の集団選抜（２０１１）、白色種子７７％；（Ｃ）３回目の集団選抜（２０１２）、白色種子９０％；（Ｄ）１回目の個体選抜（２０１３）；白色種子９８％；（Ｅ）２回目の個体選抜（２０１４）；白色種子９９％；（Ｆ）３回目の個体選抜（２０１５）、白色種子１００％（レンボルグ品種）。
【図２】チアの４品種の草丈。植物は２０１７年８月１５日に植付け、サンプルは２０１７年１１月３０日（播種１０７日後）に得た。（Ａ）ホワイト・アカティック（Ｗｈｉｔｅ  Ａｃａｔｉｃ）；（Ｂ）ブラック・プエブラ（Ｂｌａｃｋ  Ｐｕｅｂｌａ）；（Ｃ）ピンタ；（Ｄ）レンボルグ。表３に図２〜９に示す物理的及び形態学的特徴に関する結果を列挙する。図２〜９に示すサンプルは全て、２０１７年７月１５日〜２０１７年１１月３０日の夏〜秋季にメキシコ、ハリスコ州のＲａｎｃｈｏ  Ｅｌ  Ｐｅｔａｃａｌで栽培した。
【図３】チアの４品種の開花期（右）及び生理的登熟期（左）における花序長。植付け日は、開花期の場合では２０１７年９月１５日、生理的登熟期の場合では２０１７年８月１５日であった。サンプルは２０１７年１１月３０日に採取し、登熟期の場合では播種１０７日後、開花期の場合では７６日後であった。（Ａ）ホワイト・アカティック；（Ｂ）ブラック・プエブラ；（Ｃ）ピンタ；（Ｄ）レンボルグ。
【図４】チアの４品種の植物体当たりの花序の数。植付け日は２０１７年８月１５日であり、サンプルは２０１７年１１月３０日（播種１０７日後）に採取した。（Ａ）ホワイト・アカティック；（Ｂ）ブラック・プエブラ；（Ｃ）ピンタ；（Ｄ）レンボルグ。
【図５】チアの４品種の生理的登熟時の主要花序当たりの花房。植付け日は２０１７年８月１５日であり、サンプルは２０１７年１１月３０日（播種１０７日後）に採取した。（Ａ）ホワイト・アカティック；（Ｂ）ブラック・プエブラ；（Ｃ）ピンタ；（Ｄ）レンボルグ。
【図６】チアの４品種の主要花序当たりの果実。植付け日は２０１７年８月１５日であり、サンプルは２０１７年１１月３０日（播種１０７日後）に採取した。（Ａ）ホワイト・アカティック；（Ｂ）ブラック・プエブラ；（Ｃ）ピンタ；（Ｄ）レンボルグ。
【図７】チアの４品種の花の大きさ。植付け日は２０１７年８月１５日であり、サンプルは２０１７年１１月３０日（播種７６日後）に採取した。（Ａ）ホワイト・アカティック；（Ｂ）ブラック・プエブラ；（Ｃ）ピンタ；（Ｄ）レンボルグ。
【図８】チアの４品種の最下段の葉の形状。植付け日は２０１７年９月１５日であり、サンプルは２０１７年１１月３０日（播種４５日後）に採取した。（Ａ）ホワイト・アカティック；（Ｂ）ブラック・プエブラ；（Ｃ）ピンタ；（Ｄ）レンボルグ。
【図９】チアの４品種の種子色及び均一性。植付け日は２０１７年７月１５日であり、サンプルは２０１７年１１月３０日（播種１３７日後）に採取した。（Ａ）ホワイト・アカティック；（Ｂ）ブラック・プエブラ；（Ｃ）ピンタ；（Ｄ）レンボルグ。
【図１０】冬−春季のチアの４品種の生育。植物は２０１７年１月２０日に、メキシコ、ハリスコ州のＲａｎｃｈｏ  Ｅｌ  Ｐｅｔａｃａｌで播種し、２０１７年５月１５日（播種１１４日後）に収穫した。（Ａ）ホワイト・アカティック；（Ｂ）レンボルグ；（Ｃ）ピンタ；（Ｄ）ブラック・プエブラ。ブラック・プエブラ及びピンタ品種（Ｄ及びＣ）は、生理的登熟に達しなかった。データを表７に示す。
【発明を実施するための形態】
【００２２】
本明細書では、他の典型的なチア品種又は野生型チアに比べて、均一な白色種子、より大きい種子収量、及びより重い種子重を有するレンボルグと称されるチア（サルビア・ヒスパニカＬ．）品種が記載される。
【００２３】
「農業上有利な形質」又は「農業上有利な特徴」という句は、本明細書で使用する場合、生長の利点、生産の増大、又は商業的利益を付与する１以上の形質を指す。このような形質又は特徴としては、限定されるものではないが、代謝効率の増大；より大きい光合成能；増大した又はより急速な生長速度；より大きい種子収量；より重い種子重；植物構造の変更；除草剤耐性；草丈の短縮又は増大；分枝の減少又は増加；葉数の減少又は増加；花序数の増加又は減少；花序長の増大又は短縮；全バイオマス；開花までの日数の増加又は減少；登熟までの日数の増加又は減少；収穫指数の増大；耐寒性又は耐霜性の増強；活力の改善；色の向上；色の均一性の増大；より大きい製品均一性；耐虫性、捕食者耐性、又は耐病性の増強；貯蔵特性の改善；収量の増大；水利用効率の最適化（ｇｒｅａｔｅｒ  ｗａｔｅｒ  ｏｐｔｉｍｉｚａｔｉｏｎ）；脱水、水不足状態、又は干魃に対するより大きな耐性；脱水、水不足状態、又は干魃からのより良い回復；根の生長の増大；側根形成の増大；根の分岐の増大；根の表面積の増大；根重の増大；根毛の増加；栄養又は肥料の取り込みの増大；微量栄養素の取り込みの増大；耐塩性の増強；植物組織の衰弱に対する耐性の増強；重金属耐性の増強；甘味の増強；テクスチャーの改善；リン酸塩含量の低減；発芽の増加；オイル含量の増加；タンパク質含量の増加；炭水化物含量の増加；繊維含量の増加；デンプン組成の改善；花の寿命の改善；健康状態及び栄養特徴の増進；新規なオイル又は樹脂の生産；新規なタンパク質又はペプチドの生産；新規な炭水化物の生産；農業形質の増強；前記の形質のいずれか、又は他のいずれかの農業上望ましい若しくは商業上有利な形質若しくは特徴の遺伝性の増強が含まれる。
【００２４】
「戻し交雑」という用語は、本明細書で使用する場合、後代植物が親遺伝子型に１回以上、交雑し戻される方法を指す。例えば、雑種第一代Ｆ1をそのＦ1雑種の親遺伝子型のうち１つと交雑させ、次に、雑種第二代Ｆ2を同じ親遺伝子型と交雑させるなどである。戻し交雑は一般に、ある遺伝的背景から別の遺伝的背景に１以上の遺伝子座変換を導入するために使用される。
【００２５】
「育種」という用語は、本明細書で使用する場合、生きている生物の遺伝子操作を指す。
「細胞」という用語は、本明細書で使用する場合、単離されたものであれ、組織培養物のものであれ、又は植物若しくは植物部分に組み込まれているものであれ、植物細胞を指す。
「他家受粉」という用語は、異なる植物に由来する２つの配偶子の合体による受精を意味する。
【００２６】
「播種後日数」又は「ＤＡＳ」という用語は、本明細書で使用する場合、開花又は登熟などの特徴が見られる、植え付け後の日数を指す。
「後代」という用語は、本明細書で使用する場合、いずれの世代の植物も指す。
「に由来する」という用語は、本明細書で使用する場合、特に断りのない限り、特定の物（例えば、植物、種子など）又は物の群が明示された供給源に起源するが、その明示された供給源から必ずしも直接取得された物でないことを示す。
「Ｆn」という用語は、本明細書で使用する場合、雑種世代を意味し、下付き文字ｎは、例えば、Ｆ1、Ｆ2、Ｆ3など、世代数を指す。
【００２７】
「改善」、「増大」、「増強」、又は「より大きい」という用語は、本明細書で使用する場合、他の同等の生物又は野生型生物と比較した場合に特定の特徴又は形質が高くなること又は優良になることを指す。一般に、これは農業上有利な形質である。
「植物」という用語は、本明細書で使用する場合、いずれの生育段階である植物、並びに完全な植物に付属していても分離されていてもよい植物のいずれの１又は複数の部分も指す。
【００２８】
「植物部分」という用語は、本明細書で使用する場合、植物の器官、組織、及び細胞を含む。植物部分は、葉、茎、苗条、葉柄、根、根端、根冠、根毛、葉毛、種子毛、木部、師部、柔組織、内胚乳、花、花序、小花、花柄、花糸、小花柄、葯、雌蘂、雄蘂、萼片、花床、柱頭、花柱、子房、胚珠、花粉、胞子、小胞子、配偶体、芽胞体、胚、果実、鞘、種子、穀粒、子葉、胚軸、上胚軸、カルス、分裂組織細胞、伴細胞、孔辺細胞、プロトプラスト、組織、細胞、又は他の任意の器官、組織、細胞、植物の細胞下成分、又はこれらの組合せを含む。
【００２９】
「植物製品」という用語は、本明細書で使用する場合、植物、植物部分、又は種子から作出される農産物又は商業製品を指す。植物製品の限定されない例としては、花、花粉、葉、つる、軸、果実、野菜、瓜類、根、塊茎、球果、莢、種子、豆、穀粒、仁、果皮、ミール、挽き割り粉、粉末、砂糖、デンプン、タンパク質濃縮物、タンパク質単離物、ワックス、オイル、抽出物、汁液、濃縮物、液体、及びシロップが含まれる。
【００３０】
「後代」という用語は、本明細書で使用する場合、第一代（Ｆ1）植物を指す。
「１キログラム当たりの種子」という用語は、本明細書で使用する場合、１キログラム重を含むようにするのに必要な種子の数を指す。
「種子収量」という用語は、本明細書で使用する場合、１ヘクタール区画で生産される種子のキログラムを指し、キログラム／ヘクタール（ｋｇ／ｈａ）で報告される。１ヘクタールは１００アールであり、１０，０００ｍ2又は約２．４７エーカーに相当する。
「兄妹交配する（ｓｉｂｂｉｎｇ）」、「兄妹交配した（ｓｉｂｂｅｄ）」又は「兄妹交配（ｓｉｂ  ｃｒｏｓｓｉｎｇ）」という用語は、本明細書で使用する場合、除雄した植物に妹植物の花粉を受粉させることを指す。
「レンボルグ」という用語は、本明細書で使用する場合、種子の代表的サンプルがＡＴＣＣ特許受託番号ＰＴＡ−１２４７５８として寄託されているレンボルグと称されるチア（サルビア・ヒスパニカＬ．）品種を指す。
【００３１】
「相対増加」という用語は、本明細書で使用する場合、他の品種と比較した場合の、千粒重の増加パーセントを指す。
「相対収量」という用語は、本明細書で使用する場合、他の品種と比較した場合の、１ヘクタール当たりの種子重の増加パーセントを指す。
「千粒重」、「種子１０００個当たりの重量」、又は「ＭＴＳ」という用語は、本明細書で使用する場合、ミリグラムでの千粒重（例えば、ｍｇ／千粒）を指す。
「窒素率」という用語は、本明細書で使用する場合、栽培場所に施与されるキログラムでの窒素量を指す。窒素率は一般に、１ヘクタール当たりの窒素のキログラム（ｋｇ  Ｎ／ｈａ）として報告される。
「窒素利用効率」又は「ＮＵＥ」という用語は、本明細書で使用する場合、植物集団によって吸収された窒素量と植物に（肥料として）施与された窒素量の間の比である。ＮＵＥは、本明細書で使用する場合、窒素を投入した植物と窒素を投入しなかった植物の種子収量（キログラム）の差を求め、その差を窒素１００キログラムで割ることにより計算される：（（Ｎ100での種子収量−Ｎ0での種子収量）／１００ｋｇＮ）。窒素利用効率は、施与した窒素肥料１ｋｇ当たりの種子ｋｇとして報告される。
【００３２】
「野生型」という用語は、本明細書で使用する場合、選抜された生物から区別される、それが通常生じるような生物又はその遺伝物質の典型的な形態を指す。一態様では、野生型は、非栽培チア（サルビア・ヒスパニカＬ．）植物（又はその集団）又は農業上有利な形質に関して選抜を受けていない栽培チア植物（又はその集団）である。
「施与された窒素に対する収量増加」という用語は、本明細書で使用する場合、作物に施与した窒素重当たりに得られた種子重（キログラム）（例えば、種子ｋｇ／Ｎ  ｋｇ）を指す。
「約」という用語は、本明細書で使用する場合、用語「約」により修飾される値の±１０％までの変動以内のいずれの値も指す。
冠詞「１つの(a)」又は「１つの(an)」は、本明細書で使用する場合、特に断りのない限り、「１以上」を意味する。
「又は」という用語は、連言的又は離接的であり得る。
「包含する（ｉｎｃｌｕｄｅ）」、「包含する（ｉｎｃｌｕｄｉｎｇ）」、「含有する（ｃｏｎｔａｉｎ）」、「含有する（ｃｏｎｔａｉｎｉｎｇ）」、「有する（ｈａｖｅ）」、「有する（ｈａｖｉｎｇ）」などは、「含む（ｃｏｍｐｒｉｓｅ）」又は「含む（ｃｏｍｐｒｉｓｉｎｇ）」を意味する。
【００３３】
チア（サルビア・ヒスパニカＬ．）は、食品及び農産物の両方にとって重要且つ有用な作物である。チア育種の目標は、遺伝的に安定で、高収量であり、且つ、その他の農業上有利な特徴を有するチア品種を開発することである。このような農業上有利な形質を有するチア植物を選抜し、作出し、他の望ましい品種と交雑させ、農業上有利な形質の強化及び雑種強勢に関して選抜することができる。
【００３４】
本明細書に記載の一実施形態は、他の典型的なチア品種又は野生型チアと比較して、均一な白色種子、より重い種子重、及びより大きい種子収量を有するレンボルグと称されるチア（サルビア・ヒスパニカＬ．）品種である。一態様では、レンボルグと称されるチア（サルビア・ヒスパニカＬ．）品種は、種子の代表的サンプルがＡＴＣＣ特許受託番号ＰＴＡ−１２４７５８として寄託されているチア植物又はチア種子を含む。
【００３５】
本明細書に記載の別の実施形態は、均一な種子色、種子重の増大、及び種子収量の増大を含むチア（サルビア・ヒスパニカＬ．）植物を選抜するための方法である。一態様では、ピンタ品種を原系統として使用した。複数のピンタチア植物を植え付け、１つの選抜特徴として白色の種子色を用いて集団選抜を行った。遺伝することが示されていた種子重の向上を間接的選抜基準とした。Ｓｏｓａら，  “Ａｇｒｏｎｏｍｉｃ  ａｎｄ  ｐｈｙｓｉｏｌｏｇｉｃａｌ  ｐａｒａｍｅｔｅｒｓ  ｒｅｌａｔｅｄ  ｔｏ  ｓｅｅｄ  ｙｉｅｌｄ  ｏｆ  ｗｈｉｔｅ  ｃｈｉａ  （Ｓａｌｖｉａ  ｈｉｓｐａｎｉｃａ  Ｌ．），”  Ａｃｔａ  Ｆｉｔｏｇｅｎｅｔｉｃａ  ３：３１  （２０１６）；及びＳｏｓａら，  “Ｐｌａｎｔ  ｔｒａｉｔｓ  ｒｅｌａｔｅｄ  ｔｏ  ｓｅｅｄ  ｙｉｅｌｄ  ａｎｄ  ｔｈｅｉｒ  ｈｅｒｉｔａｂｉｌｉｔｙ  ｏｎ  ｗｈｉｔｅ  ｃｈｉａ  （Ｓａｌｖｉａ  ｈｉｓｐａｎｉｃａ  Ｌ．），”  Ａｃｔａ  Ｆｉｔｏｇｅｎｅｔｉｃａ  ３：３２  （２０１６）参照。連続作期として２回のさらなる集団選抜を行った。３回の生育季にわたって３回のさらなる個体選抜を行った。最初の個体選抜の終了時に、ほぼ均一な白色種子が得られた。下記の表２参照。１００％の白色種子を生産するために２回のさらなる個体選抜を行った。最後の個体選抜の後に基本種子を生産した。図１参照。この基本種子を、チア（サルビア・ヒスパニカＬ．）レンボルグ品種（種子の代表的サンプルがＡＴＣＣ特許受託番号ＰＴＡ−１２４７５８として寄託されている）と称した。レンボルグ品種は単に選抜法を用いて作出したものであり、突然変異誘発、形質転換、又は他の分子遺伝学的操作は包含しなかった。チアのレンボルグ品種は、非遺伝子操作生物（非ＧＭＯ）と考えられる。
【００３６】
本明細書に記載の別の実施形態は、レンボルグと称されるチア（サルビア・ヒスパニカＬ．）品種の種子である。一態様では、チア種子は、白色である。別の態様では、チア種子は、同等のチア品種又は野生型種子と比較して種子重が増大している。別の態様では、チア種子は、同等のチア品種又は野生型種子と比較して種子収量が増大している。別の態様では、レンボルグ種子は、黒、茶、又はまだらのチア種子から生産したオイルと比較して均一な淡色を有するオイルを含む。このようなオイルは、均一な淡色が望まれ、且つ、バッチ間の一貫性が重要である化粧品又は食品での使用に特に適している。本明細書に記載の別の態様は、レンボルグ品種由来の均一な淡色のチアオイルである。
【００３７】
本明細書に記載の別の実施形態は、均一な白色種子色、種子重の増大、種子収量の増大、窒素肥料応答の増大、均一な開花までの日数、及び均一な登熟までの日数を含むレンボルグ品種のチア（サルビア・ヒスパニカＬ．）植物である。別の態様では、レンボルグ品種は、下記の特徴：チア植物の他の品種又は野生型チアと比較した場合の、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せのうち１以上を更に含む。
【００３８】
本明細書に記載の別の実施形態は、レンボルグと称されるチア（サルビア・ヒスパニカＬ．）植物品種である。一態様では、この植物は、レンボルグと称されるチア（サルビア・ヒスパニカＬ．）品種の種子を生育媒体に植え付け、植物を生育させることによって得ることができる。この媒体は、土壌、人工土壌、コンポスト、栽培用土、水耕栽培若しくはハイドロカルチャー用媒体、又は植物を生育させるための他の任意の好適な媒体を含み得る。
本明細書に記載の別の実施形態は、レンボルグと称される品種由来のチア（サルビア・ヒスパニカＬ．）種子又はチア植物由来の細胞である。一態様では、この細胞は、レンボルグ品種植物又は種子由来の１以上の細胞又は細胞の組織培養物を含む。本明細書に記載の一態様は、チアレンボルグ品種植物、又は胚、分裂組織細胞、葉、子葉、胚軸、根、根端、茎、雌蘂、葯、胚珠、花、花粉、若しくは種子を含む植物部分から生産される細胞の組織培養物である。
【００３９】
本明細書に記載の別の実施形態は、レンボルグ品種由来の細胞又は組織培養物から再分化したチア植物であり、この植物は、品種レンボルグの形態学的及び生理学的特徴を含む。
本明細書に記載の別の実施形態は、チア植物、又はレンボルグ品種を含む均質なチア（サルビア・ヒスパニカＬ．）植物集団である。このようなチア植物又は植物集団は、圃場、温室、植物培養、水耕栽培、又は植物を生育させるための他の手段で生育させることができる。一態様では、レンボルグ品種の集団は、好適な生育媒体に複数のレンボルグ品種種子を植え付けることによって得ることができる。
【００４０】
本明細書に記載の別の実施形態は、レンボルグ品種の植物又は植物の均質集団から収穫される１以上のチア種子である。
本明細書に記載の別の実施形態は、白色を含むレンボルグ品種の種子又はチア（サルビア・ヒスパニカＬ．）種子の均質集団である。一態様では、チア種子は均一な白色を有する。別の態様では、チア種子の少なくとも約９０％、約９１％、約９２％、約９３％、約９４％、約９５％、約９６％、約９７％、約９８％、約９９％、又は約１００％が白色を有する。別の態様では、チア種子の少なくとも約９０％〜９９％；約９５％〜９９％、約９８％〜９９％、約９０％〜１００％；約９５％〜１００％、約９８％〜１００％、又は約９９％〜１００％が白色を有する。別の態様では、チア種子の約１００％が白色を有する。
【００４１】
本明細書に記載の別の実施形態は、同等のチア品種又は野生型チア種子と比較した場合に高い種子重を含むレンボルグ品種の種子又はチア（サルビア・ヒスパニカＬ．）種子の均質集団である。一態様では、レンボルグチア種子は、少なくとも約１４００ｍｇ／千粒の千粒重を有する。一態様では、レンボルグチア種子は、少なくとも約１３５０ｍｇ／千粒の千粒重を有する。別の態様では、レンボルグチア種子は、約１３５０ｍｇ／千粒、約１３６０ｍｇ／千粒、約１３７０ｍｇ／千粒、約１３８０ｍｇ／千粒、約１３９０ｍｇ／千粒、約１４００ｍｇ／千粒、約１４１０ｍｇ／千粒、約１４２０ｍｇ／千粒、約１４３０ｍｇ／千粒、約１４４０ｍｇ／千粒、約１４５０ｍｇ／千粒、約１４６０ｍｇ／千粒、約１４７０ｍｇ／千粒、約１４８０ｍｇ／千粒、約１４９０ｍｇ／千粒、又は約１５００ｍｇ／千粒の千粒重を有する。別の態様では、レンボルグチア種子は、約１４００ｍｇ／千粒、約１５００ｍｇ／千粒、約１６００ｍｇ／千粒、約１７００ｍｇ／千粒、約１８００ｍｇ／千粒、約１９００ｍｇ／千粒、２０００ｍｇ／千粒、約２１００ｍｇ／千粒、約２２００ｍｇ／千粒、約２３００ｍｇ／千粒、約２４００ｍｇ／千粒、約２５００ｍｇ／千粒、約２６００ｍｇ／千粒、約２７００ｍｇ／千粒、約２８００ｍｇ／千粒、約２９００ｍｇ／千粒、又は約３０００ｍｇ／千粒の千粒重を有する。別の態様では、レンボルグチア種子は、別のチア種子と比較した場合に、同等のチア品種又は野生型チア種子よりも約５％、約６％、約７％、約８％、約１０％、約１１％、約１２％、約１３％、約１４％、約１５％、約１６％、約１７％、約１８％、約１９％、約２０％、約２１％、約２２％、約２３％、約２４％、約２５％、約２６％、約２７％、約２８％、約２９％、約３０％、約３１％、約３２％、約３３％、約３４％、約３５％、約３６％、約３７％、約３８％、約３９％、約４０％又は約５０％の種子重増加を有する。
【００４２】
本明細書に記載の別の実施形態は、同等のチア品種又は野生型チア植物と比較して高い種子収量を含むレンボルグ品種のチア植物又チア（サルビア・ヒスパニカＬ．）植物の均質集団である。一態様では、レンボルグ品種は、１ヘクタール当たり少なくとも約１５００キログラムの種子（ｋｇ／ｈａ）の平均種子収量を有する。別の態様では、レンボルグ品種は、約１８５０ｋｇ／ｈａの平均種子収量を有する。別の態様では、レンボルグ品種は、約２２５０ｋｇ／ｈａの平均種子収量を有する。別の態様では、レンボルグ品種は、約３０００ｋｇ／ｈａの平均種子収量を有する。別の態様では、レンボルグ品種は、約１５００ｋｇ／ｈａ〜約３０００ｋｇ／ｈａの平均種子収量を有する。別の態様では、レンボルグ品種は、約１８５０ｋｇ／ｈａ〜  約３０００ｋｇ／ｈａの平均種子収量を有する。別の態様では、レンボルグ品種は、約２２５０ｋｇ／ｈａ〜  約３０００ｋｇ／ｈａの平均種子収量を有する。別の態様では、レンボルグ品種は、約１５００ｋｇ／ｈａ、約１６００ｋｇ／ｈａ、約１７００ｋｇ／ｈａ、約１８００ｋｇ／ｈａ、約１９００ｋｇ／ｈａ、約２０００ｋｇ／ｈａ、約２１００ｋｇ／ｈａ、約２２００ｋｇ／ｈａ、約２３００ｋｇ／ｈａ、約２４００ｋｇ／ｈａ、約２５００ｋｇ／ｈａ、約２６００ｋｇ／ｈａ、約２７００ｋｇ／ｈａ、約２８００ｋｇ／ｈａ、約２９００ｋｇ／ｈａ、約３０００ｋｇ／ｈａ、約３１００ｋｇ／ｈａ、約３２００ｋｇ／ｈａ、約３３００ｋｇ／ｈａ、約３４００ｋｇ／ｈａ、約３５００ｋｇ／ｈａ、約３６００ｋｇ／ｈａ、約３７００ｋｇ／ｈａ、約３８００ｋｇ／ｈａ、約３９００ｋｇ／ｈａ、約４０００ｋｇ／ｈａ、又は約５０００ｋｇ／ｈａの平均種子収量を有する。別の態様では、レンボルグ品種は、同等のチア品種又は野生型チアよりも約１０％〜約２００％の平均種子収量増加を有する。別の態様では、レンボルグ品種は、同等のチア品種又は野生型チアよりも約１０％、約１５％、約２０％、約２５％、約３０％、約３５％、約４０％、約４５％、約５０％、約５５％、約６０％、約６５％、約７０％、約７５％、約８０％、約８５％、約９０％、約９５％、約１００％、約１０５％、約１１０％、約１１５％、約１２０％、約１２５％、又は約１５０％の平均種子収量増加を有する。別の態様では、レンボルグ品種は、秋−冬生育季における平均種子収量が増大している。別の態様では、レンボルグ品種は、冬−春生育季における平均種子収量が増大している。別の態様では、レンボルグ品種は、春−夏生育季における平均種子収量が増大している。別の態様では、レンボルグ品種は、夏−秋生育季における平均種子収量が増大している。別の態様では、レンボルグ品種は、年間を通じて平均種子収量が増大している。
【００４３】
本明細書に記載の別の実施形態は、開花及び登熟までの時間の均一性が高いレンボルグ品種のチア（サルビア・ヒスパニカＬ．）植物の均質集団である。一態様では、レンボルグ品種は、播種約５５日後に開花し始め、播種約６３日後に開花し終わり、これは約８日の開花期に相当する。これに対して、他のチア品種は１０〜１６日の開花期間を有する。別の態様では、レンボルグ品種は、播種約１１１日後に登熟し始め、播種約１２０日後に登熟を終え、これは約９日の期間に相当する。これに対して、他のチア品種は８〜１５日の開花期間（ｆｌｏｗｅｒｉｎｇ  ｐｅｒｉｏｄｓ）を有する。レンボルグ品種が示すこのような均一性は、植物が鳥類などの捕食者により引き起こされる損傷を逃れ、収穫期の種子損失を減らすことを可能とする。
【００４４】
本明細書に記載の別の実施形態は、肥料応答の増大を含むレンボルグ品種のチア（サルビア・ヒスパニカＬ．）植物又は均質な植物集団である。一態様では、レンボルグ品種の窒素利用効率（ＮＵＥ）は、施与した窒素肥料１ｋｇ当たり種子約１１．２ｋｇである。一態様では、レンボルグ品種の窒素利用効率（ＮＵＥ）は、施与した窒素肥料１ｋｇ当たり種子約１０ｋｇ〜約２０ｋｇである。別の態様では、レンボルグ品種は、施与した窒素肥料１ｋｇ当たり少なくとも約１０ｋｇの種子を生産する。別の態様では、レンボルグ品種は、施与した窒素肥料１ｋｇ当たり約１０ｋｇ〜約１５ｋｇの種子を生産する。別の態様では、レンボルグ品種は、施与した窒素肥料１ｋｇ当たり約１０ｋｇ、約１１ｋｇ、約１２ｋｇ、約１３ｋｇ、約１４ｋｇ、約１５ｋｇ、約１６ｋｇ、約１７ｋｇ、約１８ｋｇ、約１９ｋｇ、又は約２０ｋｇの種子を生産する。別の態様では、レンボルグ品種は、１ヘクタール当たり１００ｋｇの窒素を施与した場合に少なくとも約１１２０ｋｇの平均種子収量増加を示す。別の態様では、レンボルグ品種は、１ヘクタール当たり１００ｋｇの窒素を施与した場合に約７５０ｋｇ、約８００ｋｇ、約８５０ｋｇ、約９００ｋｇ、約９５０ｋｇ、約１０００ｋｇ、約１１００ｋｇ、約１２００ｋｇ、約１３００ｋｇ、約１４００ｋｇ、約１５００ｋｇ、約１６００ｋｇ、約１７００ｋｇ、約１８００ｋｇ、約１９００ｋｇ、又は約２０００ｋｇの平均種子収量増加を示す。
【００４５】
本明細書に記載の別の実施形態は、レンボルグ品種を含む植物又は均質な植物集団から収穫されたチア種子から生産される植物製品である。植物製品は、チア種子、オイル、ミール、タンパク質、繊維、これらの派生物、又はこれらの組合せのうち１以上を含む。一態様では、植物製品は、チア種子、チアオイル、又はチアミールを含む。一態様では、植物製品は、チアオイルを含む。一態様では、チアオイルは、高濃度のω−３多価不飽和脂肪酸を含む。別の態様では、チアオイルは、均一な淡色を有する。本明細書に記載されるように、レンボルグ品種は、同等のチア品種又は野生型チアと比較した場合に種子重及び収量が増大している。よって、レンボルグ品種の植物製品、特に、オイル又はミールなどの種子製品の収量は、同等のチア品種又は野生型チアよりも多い。本明細書に記載の別の態様は、レンボルグ品種からのチアオイルを使用して生産される化粧品又は美容製品である。本明細書に記載の別の態様は、レンボルグ品種からのチア種子、チアミール、チアオイル、これらの派生物、又はこれらの組合せを含む食品である。本明細書に記載の別の態様は、レンボルグ品種からのバルクチア種子である。
【００４６】
本明細書に記載の別の実施形態は、レンボルグ品種の植物の作物集団である。一態様では、この作物は圃場、温室、植物培養、水耕栽培アレイ、又はその他の好適な生育エリアで生育させることができる。別の態様では、この作物はある環境に播種した後に、別の環境に移植してもよい。例えば、種子は、温室環境で播種し、発芽した後に、苗条又は未熟植物を登熟又は収穫まで生育させるために圃場に移植してもよい。
本明細書に記載の別の実施形態は、レンボルグと称される品種からのチア（サルビア・ヒスパニカＬ．）植物の植物部分である。一態様では、植物部分は、種子である。
【００４７】
本明細書に記載の別の実施形態は、レンボルグと称される品種からのチア（サルビア・ヒスパニカＬ．）種子又はチア植物の後代であり、この後代は、チア（サルビア・ヒスパニカＬ．）品種レンボルグの形質並びに生理学的及び形態学的特徴を含む。レンボルグ後代は、後代植物又は後代植物の種子であり得る。一態様では、レンボルグ後代は、チア植物の他の品種と比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む。一態様では、後代は、レンボルグ品種のＦ1、Ｆ2、Ｆ3、Ｆ4、Ｆ5、Ｆ6、Ｆ7、Ｆ8、Ｆ9、Ｆ10、又はそれ以降の世代である。別の実施形態では、後代は、レンボルグ品種の戻し交雑後代である。本明細書に記載の別の態様は、チア（サルビア・ヒスパニカＬ．）品種レンボルグの形質並びに生理学的及び形態学的特徴を含む、レンボルグと称される品種の後代からの種子である。
【００４８】
本明細書に記載の別の実施形態は、レンボルグと称されるチア（サルビア・ヒスパニカＬ．）品種の生殖質である。本明細書に記載の一態様は、チア（サルビア・ヒスパニカＬ．）品種レンボルグの形質並びに生理学的及び形態学的特徴を含むレンボルグ生殖質から作出されたチア植物である。一態様では、植物は、生殖質から作出され、チア植物の他の品種と比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含む１以上の形質を含む。別の態様では、レンボルグ品種の形質並びに生理学的及び形態学的特徴を含む生殖質から作出された植物から１以上の種子が得られる。
【００４９】
本明細書に記載の別の実施形態は、１以上のレンボルグ品種チア種子を生産するための方法である。一態様では、レンボルグ種子を生産するための方法は、（ａ）レンボルグ品種の種子を、それ自体と又は異なるチア品種からの種子と受粉する近さに植え付けること；（ｂ）受粉する近さに植え付けた種子から植物を栽培すること；及び（ｃ）生じた１以上のチア種子を収穫することを含む。本明細書に記載の別の態様は、チア（サルビア・ヒスパニカＬ．）品種レンボルグの形質並びに生理学的及び形態学的特徴を含む前記方法により生産されるチア種子である。
【００５０】
本明細書に記載の別の実施形態は、第１の親チア（サルビア・ヒスパニカＬ．）植物と第２の親チア（サルビア・ヒスパニカＬ．）植物を交雑させることよりチア（サルビア・ヒスパニカＬ．）品種植物を生産するための方法であり、第１又は第２の親チア植物のいずれかがレンボルグ系統のチア植物である。別の態様では、第１及び第２の親チア（サルビア・ヒスパニカＬ．）植物は、レンボルグ品種又はその後代の植物であり得る。チア（サルビア・ヒスパニカＬ．）品種レンボルグを用い、自殖、戻し交雑、雑種作出、集団交雑などを含むこのようないずれかの方法が使用可能である。これは、少なくとも一方の親として、チア（サルビア・ヒスパニカＬ．）品種レンボルグに由来する品種又はチア（サルビア・ヒスパニカＬ．）品種レンボルグの後代から開発されたものを含むチア（サルビア・ヒスパニカＬ．）品種レンボルグを用いて生産される全植物又はこれらの種子を含む。有利には、このチア（サルビア・ヒスパニカＬ．）品種を他の異なるチア（サルビア・ヒスパニカＬ．）植物との交雑に使用して、より優良な特徴を有する第一代（Ｆ1）チア（サルビア・ヒスパニカＬ．）雑種種子及び植物を生産することができる。
【００５１】
本明細書に記載の別の実施形態は、品種レンボルグを、１以上の農業上有利な形質を含む第２のチア（サルビア・ヒスパニカＬ．）植物と交雑させて、得られた後代から種子を得ること；後代種子を栽培し、品種レンボルグ由来植物との交雑及び栽培工程を１〜２０回繰り返すことにより、品種レンボルグ由来チア（サルビア・ヒスパニカＬ．）植物を生産するための方法である。本明細書に記載の別の態様は、前記方法又は工程から生産される、チア（サルビア・ヒスパニカＬ．）品種レンボルグの形質並びに生理学的及び形態学的特徴と第２のチア植物からの他のいずれかの農業上有利な形質を含む植物又は種子である。
【００５２】
本明細書に記載の別の実施形態は、チア（サルビア・ヒスパニカＬ．）品種レンボルグ種子を生産するための方法であって、（ａ）チア（サルビア・ヒスパニカＬ．）品種レンボルグ植物を第２の異なるチア（サルビア・ヒスパニカＬ．）品種レンボルグ植物を交雑させてＦ1チア種子を生産すること；及び（ｂ）Ｆ1チア種子を収穫することを含む方法である。本明細書に記載の別の態様は、チア（サルビア・ヒスパニカＬ．）品種レンボルグの形質並びに生理学的及び形態学的特徴を含む前記方法により生産されるチア種子である。
【００５３】
本明細書に記載の別の実施形態は、自殖、戻し交雑、雑種作出、集団交雑、及び類似の手法において品種レンボルグを使用する方法である。本明細書にはまた品種レンボルグを親として用いて生産される植物又は種子も記載され、これにはチア（サルビア・ヒスパニカＬ．）品種レンボルグの形質並びに生理学的及び形態学的特徴を含む品種レンボルグからの又は前記品種レンボルグに由来する後代植物が含まれる。有利には、レンボルグ品種は、より優良な農業特徴を有する第一代（Ｆ1）チア（サルビア・ヒスパニカＬ．）種子及び植物を生産するために他の異なる品種との交雑に使用される。
【００５４】
本明細書に記載の別の実施形態は、所望の形質をチア（サルビア・ヒスパニカＬ．）品種レンボルグに導入する方法である。本明細書に記載の一態様では、この方法は、（ａ）レンボルグ植物を、１以上の農業上有利な形質を含む別の異なるチア（サルビア・ヒスパニカＬ．）品種の植物と交雑させてＦ1後代植物を生産すること；（ｂ）所望の形質を有する１以上の後代植物を選抜して、選抜後代植物を得ること；（ｃ）前記選抜後代植物を前記レンボルグ植物と交雑させて、戻し交雑後代植物を生産すること；（ｄ）所望の形質を有する戻し交雑後代植物を選抜すること；及び（ｅ）工程（ｃ）及び（ｄ）を連続３回以上繰り返して、所望の形質を含む第４代以降の戻し交雑後代植物を生産することを含む。本明細書に記載の別の態様は、チア（サルビア・ヒスパニカＬ．）品種レンボルグの形質並びに生理学的及び形態学的特徴と１以上の所望の形質を含む、前記方法により生産されるチア植物又はそのような植物からの種子である。所望の形質は、チア植物の他の品種と比較した場合の、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せを含み得る。
【００５５】
レンボルグ品種の再生産は、自然の過程、組織培養物、又は再分化によって起こり得る。本明細書で使用される場合、「組織培養物」という用語は、同じ又は異なるタイプの単離細胞を含む組成物又は植物の部分に組織化されたそのような細胞の集合体を示す。組織培養物の例示的タイプは、プロトプラスト、カルス、分裂組織細胞、及び組織培養物を作出可能な植物細胞である。植物組織培養物を調製及び維持するための手段は当技術分野で周知である。植物器官を含む組織培養物が再分化植物を生産するために使用されてきた。例えば、米国特許第５，９５９，１８５号；同第５，９７３，２３４号；及び同第５，９７７，４４５号参照。これらの開示は本明細書の一部として援用される。
【００５６】
チア（サルビア・ヒスパニカＬ．）の種々の組織の組織培養物及びそれからの植物の再分化は、当技術分野で公知である。例えば、Ｔｅｎｇら，  ＨｏｒｔＳｃｉｅｎｃｅ  ２７（９）：  １０３０−１０３２  （１９９２）；  Ｔｅｎｇら，  ＨｏｒｔＳｃｉｅｎｃｅ  ２８（６）：６６９−１６７１  （１９９３）；  Ｚｈａｎｇら，  Ｊ．  Ｇｅｎ．  Ｂｒｅｅｄｉｎｇ  ４６（３）：  ２８７−２９０  （１９９２）；  Ｗｅｂｂら，  Ｐｌａｎｔ  Ｃｅｌｌ  Ｔｉｓｓｕｅ  Ｏｒｇａｎ  Ｃｕｌｔｕｒｅ  ３８（１）：  ７７−７９  （１９９４）；  Ｃｕｒｔｉｓら，  Ｊ．  Ｅｘｐ．  Ｂｏｔａｎｙ  ４５（２７９）：  １４４１−１４４９  （１９９４）；  Ｎａｇａｔａら，  Ｊ．  Ａｍｅｒ．  Ｓｏｃ．  Ｈｏｒｔｉｃｕｌｔ．  Ｓｃｉ．  １２５（６）：  ６６９−６７２  （２０００）；  Ｉｂｒａｈｉｍら，  Ｐｌａｎｔ  Ｃｅｌｌ  Ｔｉｓｓｕｅ  Ｏｒｇａｎ  Ｃｕｌｔｕｒｅ  ２８（２）：  １３９−１４５  （１９９２）参照。
【００５７】
本明細書に記載の別の実施形態は、品種レンボルグの生理学的及び形態学的特徴を有するチア（サルビア・ヒスパニカＬ．）植物を生産するために増殖及び分化させることができる１以上の細胞である。本明細書に記載の別の態様は、品種レンボルグの生理学的及び形態学的特徴を有するこのような組織培養物由来植物から生産されるチア種子である。本明細書に記載の他の態様は、品種レンボルグの生理学的及び形態学的特徴を有する組織培養物由来植物に由来するチア植物又は後代である。
【００５８】
本明細書に記載の別の実施形態は、当業者に公知のプロトコールを用いた、新たな又は増進した農業上有利な形質を付与するための、外来遺伝子でのレンボルグ品種の形質転換である。本明細書に記載の別の態様は、品種レンボルグの形質並びに生理学的及び形態学的特徴と他のいずれかの農業上有利な形質を含む、形質転換から生産された培養物、植物、又は種子である。
【００５９】
本明細書に記載の別の実施形態は、レンボルグ品種に基づく新規なチア（サルビア・ヒスパニカＬ．）植物又は種子を開発するための方法である。一実施形態では、特殊なタイプの育種法は、単一植物選抜法と集団選抜法の両方が使用される系統選抜である。系統選抜は、Ｗａｌｔｅｒ  Ｒ．  Ｆｅｈｒ，  Ｐｒｉｎｃｉｐｌｅｓ  ｏｆ  Ｃｕｌｔｉｖａｒ  Ｄｅｖｅｌｏｐｍｅｎｔ，  Ｍａｃｍｉｌｌａｎ  Ｐｕｂ．  Ｃｏ．  （１９９３）により記載されており、これはそのような教示に関して本明細書の一部として援用される。
【００６０】
チア（サルビア・ヒスパニカＬ．）植物は、農業上有利な特徴に関して選抜することができる。一実施形態では、系統育種法が実施され、まずＦ2植物間で選抜が実施される。次の季節に、まず、最も望ましいＦ3系統が同定され、次に、各系統内の望ましいＦ3植物が選抜される。次の季節及び以降の近交系の全ての世代において、まず、最も望ましい家系が同定され、次に、選抜された家系内の望ましい系統が選抜され、最後に、選抜された系統内の望ましい植物が個々に収穫される。家系は、前世代と同じ後代列から選抜された植物に由来して系統を指す。
【００６１】
系統法を使用する場合、両親は、除雄された母方と花粉ドナー（父方）を用いて交雑を行って子Ｆ1を得てもよいし、又は自然受粉させてもよい。受粉前にミストで花粉を洗い流すなど、花粉を除去する方法が交雑又は異種交配を確保するために使用可能である。分離したＦ2世代を得るためにＦ1を自家受粉させてもよい。形質が同型接合となるか又は育種集団内で固定されるまで、各世代（Ｆ3、Ｆ4、Ｆ5など）で所望の表現型を呈する植物個体を選択すればよい。
【００６２】
農業上有利な特徴を含む新たなチア（サルビア・ヒスパニカＬ．）を同定及び単離するためには、交雑に加えて選抜が使用され得る。チア（サルビア・ヒスパニカＬ．）選抜では、チア種子を植え付け、植物を栽培し、所望の特徴を有する植物に関して単一植物選抜を行う。単一植物選抜からの種子を収穫し、圃場内の他の植物の種子から分離し、再び植え付ければよい。選抜された種子からの植物を、元の選抜系統の所望の特徴を呈するかどうか判定するためにモニタリングすることができる。選抜作業は好ましくは、新規系統の均一性を高めるために複数世代にわたって継続される。
【００６３】
育種方法又は選抜方法の選択は、植物の生殖様式、改良される形質の遺伝率、及び商業的に使用される品種の種類（例えば、Ｆ1雑種品種、純系品種など）によって異なる。遺伝率の高い形質の場合には、一箇所で評価されるより優良な植物個体の評価が効果的であると思われるが、遺伝率の低い形質の場合には、選抜は、環境因子を標準化するために一般に異なる場所で栽培した関連植物の家系の反復評価から得られた平均値に基づくべきである。よく普及している選抜法としては、系統選抜、改良型系統選抜、集団選抜、及び循環選抜が一般的に含まれる。
【００６４】
遺伝の複雑さは、育種方法の選択に影響を及ぼす。戻し交雑育種は、望ましい品種に１以上の農業上有利な形質を導入するために使用することができる。このアプローチは、耐病性品種を育種するために鋭意用いられてきた。種々の循環選抜技術が、多くの遺伝子により制御される量的遺伝形質を改良するために使用される。自家受粉作物における循環選抜の使用は、受粉の容易さ、各受粉からの優良雑種の頻度、及び各優良作物からの雑種子孫の数によって決まる。
【００６５】
各育種プログラムは、育種手順の効率の定期的な客観的評価を含み得る。評価基準は、目標及び目的によって異なり得るが、適当な標準との比較に基づく年当たりの選抜から得られる増分、進歩的育種系統の総合的な価値、及び投入単位当たり（例えば、年当たり、かかったドル当たりなど）に生産される優良品種の数を含むべきである。
【００６６】
別の実施形態では、有望な進歩的育種系統は、商業的目的地域を代表する環境で十分に試験され、適当な標準と比較される。最良の系統が新しい商業品種の候補となり、いくつかの形質に欠陥があるものは、さらなる選抜のための新たな集団を作るために親として使用することができる。
【００６７】
上市及び流通の最終段階に至るこれらの過程には通常、最初の交雑又は選抜が行われた時から数年かかる。よって、新品種の開発は、正確な将来計画、資源の効率的使用、及び計画された工程の遵守を必要とする時間のかかる過程である。
【００６８】
ほとんどの形質で、真の遺伝子型価が交絡している植物形質又は環境因子によってマスクされている可能性があるために、遺伝的により優良な植物個体の同定は困難であり得る。より優良な植物を同定するための他の方法は、他の試験植物及び広く栽培されている標準品種と比較してそれらの性能を観察することである。１回の観察で結論が出なければ、反復観察によって遺伝的価値のより良い評価が得られる。
【００６９】
チア（サルビア・ヒスパニカＬ．）植物育種の目標は、１以上の農業上有利な特徴を有する新規でユニーク且つより優良なチア（サルビア・ヒスパニカＬ．）品種を開発することである。一実施形態では、２個体以上の親系統を交雑させた後、自殖及び選抜を反復して多くの新たな遺伝的組合せを作出する。交雑、自殖、及び突然変異によって何百万という異なる遺伝的組合せが作出できる。毎年、次世代に進めるために生殖質を選抜する。この生殖質を種々の地理条件、気候条件、及び土壌条件下で栽培してもよく、その後、その生育季の間及び終了時にさらなる選抜を行う。
【００７０】
別の実施形態では、商業的チア（サルビア・ヒスパニカＬ．）品種の開発には、チア（サルビア・ヒスパニカＬ．）品種の開発、これらの品種の交雑、及びこれらの交雑の農業上有利な特徴に関する評価を要する。育種集団から品種を開発するためには系統育種法及び循環選抜育種法が使用可能である。育種プログラムは、２個体以上の品種又は種々の幅広い供給源から望ましい形質を育種プールに組み合わせてもよく、そこから自殖及び所望の表現型の選抜により品種が開発される。新品種は他の品種と交雑させてよく、これらの交雑からの雑種を、どれが商業的可能性を持つかを決定するために評価する。
【００７１】
本明細書に記載の別の実施形態は、チア植物育種プログラムにおいて品種レンボルグ後代のチア（サルビア・ヒスパニカＬ．）植物を開発するための方法であって、品種レンボルグのチア（サルビア・ヒスパニカＬ．）植物、又はその一部を取得すること、その植物又は植物部分を育種素材の供給源として使用すること、及び品種レンボルグに共通の分子マーカー並びに／又は表３に挙げられている若しくは本明細書に記載されている形態学的及び／若しくは生理学的特徴を有するチア（サルビア・ヒスパニカＬ．）品種レンボルグ後代植物を選抜することを含む。このような特徴は、チア植物の他の品種と比較した場合に、種子色の均一性の増大、種子収量の増大、種子重の増大、オイル収量の増大、タンパク質収量の増大、繊維収量の増大、肥料利用率の増大、冬作への順応の改善、耐乾性の増大、耐寒性の増大、光周性の増大、除草剤耐性、耐虫性の増大、耐病性の増大、又はこれらの組合せのうち１以上を含み得る。チア（サルビア・ヒスパニカＬ．）植物育種プログラムで使用され得る育種工程は、系統育種、戻し交雑、突然変異育種、及び循環選抜を含む。これらの工程とともに、ＲＦＬＰにより強化される選抜、遺伝子マーカーにより強化される選抜（例えば、ＳＳＲマーカー）などの技術及び倍加半数体の作成を使用することができる。
【００７２】
本明細書に記載の別の実施形態は、チア（サルビア・ヒスパニカＬ．）品種レンボルグ後代チア（サルビア・ヒスパニカＬ．）植物の集団を生産するための方法であり、品種レンボルグを別のチア（サルビア・ヒスパニカＬ．）植物と交雑させ、それにより、それらの対立遺伝子の平均５０％をチア（サルビア・ヒスパニカＬ．）品種レンボルグ由来とするチア（サルビア・ヒスパニカＬ．）植物の集団を生産することを含む。この集団の植物を選抜し、繰り返し自殖するか、又はこれらの連続する雑種世代から得られたチア（サルビア・ヒスパニカＬ．）品種と兄妹交配（ｓｉｂｂｅｄ）することができる。一実施形態は、この方法により生産される、その対立遺伝子の少なくとも５０％をチア（サルビア・ヒスパニカＬ．）品種レンボルグから得、且つ、品種レンボルグの生理学的及び形態学的特徴を有するチア（サルビア・ヒスパニカＬ．）品種である。
【００７３】
本明細書に記載の別の実施形態は、表３に挙げられている又は本明細書に記載されているもののいずれかを含む１以上の品種レンボルグ形質の組合せを含むチア（サルビア・ヒスパニカＬ．）品種レンボルグ後代植物であり、従って、後代チア植物は、同じ環境条件で栽培した場合、５％有意水準で決定した場合にチア（サルビア・ヒスパニカＬ．）品種レンボルグと形質が有意に異ならない。本明細書に記載の技術を用い、後代植物をチア（サルビア・ヒスパニカＬ．）品種レンボルグ後代植物として同定するために分子マーカーが使用され得る。平均形質値が形質の違いが有意であるかどうかを決定するために使用でき、好ましくは、形質は同じ環境条件下で栽培された植物で測定する。このような品種がひと度開発されれば、その値は、収量、耐病性、害虫抵抗性、及び極限環境条件での植物性能などの形質を維持又は改良するためには総体として生殖質ベースを進展させることが重要であるので、その価値は実質的である。
【００７４】
チア（サルビア・ヒスパニカＬ．）品種レンボルグの後代はまた、例えば、チア（サルビア・ヒスパニカＬ．）品種レンボルグの特定の回数の育種交雑内であるので、チア（サルビア・ヒスパニカＬ．）品種レンボルグとのそれらの子孫関係によって特徴付けることもできる。育種交雑は、後代に新たな遺伝学を導入することを意図する交雑であり、既存の遺伝学的対立遺伝子間で選抜を行うために行われる自殖又は兄妹交雑（ｓｉｂ  ｃｒｏｓｓ）などの交雑とは区別される。系統内の育種交雑の回数が少ないほど、チア（サルビア・ヒスパニカＬ．）品種レンボルグとその後代の間の関係は近縁である。本明細書に記載の方法によって生産される後代は、１、２、３、４、又は５交雑以内のチア（サルビア・ヒスパニカＬ．）品種レンボルグであり得る。
【００７５】
作物の農業上有利な特徴又は形質を選抜するために使用される育種方法は、当技術分野で公知である。Ｒｏｂｅｒｔ  Ｗ．  Ａｌｌａｒｄ，  Ｐｒｉｎｃｉｐｌｅｓ  ｏｆ  Ｐｌａｎｔ  Ｂｒｅｅｄｉｎｇ，第２版  Ｊｏｈｎ  Ｗｉｌｅｙ  ａｎｄ  Ｓｏｎ，  （２０１０）参照。なお、これはそのような教示に関して本明細書の一部として援用される。下記の育種方法が、さらなるチア（サルビア・ヒスパニカＬ．）植物の開発においてチア（サルビア・ヒスパニカＬ．）品種レンボルグとともに使用することができる。
【００７６】
系統育種は、自家受粉作物又は他家受粉作物の近交系の改良のために一般的に使用される。有利な補完的形質を含む二親を交雑させてＦ1を生産する。Ｆ2集団は、１若しくは数個体のＦ1を自殖させるか、又は２個体のＦ1を相互交配（兄妹交配（ｓｉｂｌｉｎｇ  ｍａｔｉｎｇ））させることによって生産する。一般にＦ2集団で最良の個体の選抜を行い、次に、Ｆ3の初めに最良の家系の最良の個体が選抜される。遺伝率の低い形質に関する選抜の有効性を改善するためには、多くの場合、その後、Ｆ4世代で、家系、又はこれらの家系の個々のものを含む雑種組合せの検定が反復される。近交系の進んだ段階（例えば、Ｆ6及びＦ7）では、最良の系統、又は表現型が類似する系統の混合物が、新品種として出される可能性に関して試験される。
【００７７】
集団選抜及び循環選抜は、自家受粉作物又は他家受粉作物いずれかの集団を改良するために使用できる。数個体の異なる親を相互交配させることによって異型接合個体の遺伝的に多様な集団が同定又は作出できる。個々の優良性、優れた後代、又は優れた組合せ能力に基づいて最良の植物を選抜することができる。好ましくは、選抜された植物を、農業上有利な特徴を含む新たな集団を生産するために相互交配させ、そこでさらなる選抜サイクルが続けられる。
【００７８】
戻し交雑育種は、単純遺伝性の高遺伝率形質に関する遺伝子を、反復親である望ましい同型接合品種又は系統に導入するために使用されてきた。導入される形質の供給源は、ドナー親と呼ばれる。得られた植物は反復親（例えば品種）の特徴とドナー親から導入された望ましい形質を有すると期待される。最初の交雑の後、ドナー親の表現型を有する個体を選抜し、反復親と繰り返し交雑（戻し交雑）させることができる。得られた植物は、その親の特徴とドナー親から導入された望ましい形質を有すると期待される。
【００７９】
単粒系統法は、分離集団を植え付け、植物当たりに種子一個のサンプルを収穫し、その一粒サンプルを用いて次世代を植え付けることを指す。集団がＦ2から所望の近交系の水準へ進んだ際に、系統が由来する植物がそれぞれ種々のＦ2個体までたどれる。いくつかの種子は発芽できないこと、又はいくつかの植物は少なくとも１個の種子を生産できないことによって集団内の植物体の数は世代ごとに減る。結果として、世代の進行が完了した際に、集団内で最初にサンプルとされたＦ2植物の全てが後代によって表されるわけではない。
【００８０】
多粒法では、集団内の各植物から１個以上の種子を採取し、一緒にして一バルクとする。このバルクの一部を、次世代を植え付けるために使用し、一部を保存しておく。この手法は、改良型単粒系統法又はポッド−バルク技術と呼ばれている。多粒法は、収穫の時間と労働力資源を節約する。手でそれぞれから１個の種子を選抜するよりもバルク種子を得る方がかなり速い。多粒法は、近交系の各世代の集団から同数の種子を植え付けることを容易にする。発芽しなかった又は種子を生産しなかった植物を補償するために十分な種子が収穫される。
【００８１】
突然変異育種は、新たな農業上有利な特徴をチア（サルビア・ヒスパニカＬ．）品種に導入するための方法である。自然突然変異又は人為的に導入される突然変異は、変動の有用な供給源である。人為的突然変異誘発の目標は、望ましい特徴に関する突然変異率を高めることである。突然変異率は、温度、長期種子保存、組織培養条件、放射線（例えば、Ｘ線、γ線、中性子、β線、又は紫外線）、化学突然変異誘発物質（例えば、５−ブロモ−ウラシルのような塩基類似体）、抗生物質、アルキル化剤（例えば、硫黄マスタード、ナイトロジェンマスタード、エポキシド、エチレンアミン、硫酸塩、スルホン酸塩、スルホン、又はラクトン）、アジ化物、ヒドロキシルアミン、亜硝酸、アクリジン、又はその他の突然変異誘発物質を含む多くの異なる手段によって高めることができる。突然変異誘発により、ひと度、所望の形質が見られれば、次にその形質を、従来の育種技術によって既存の生殖質に導入すればよい。突然変異育種のプロトコールは、Ｗａｌｔｅｒ  Ｒ．  Ｆｅｈｒ，  Ｐｒｉｎｃｉｐｌｅｓ  ｏｆ  Ｃｕｌｔｉｖａｒ  Ｄｅｖｅｌｏｐｍｅｎｔ，  Ｍａｃｍｉｌｌａｎ  Ｐｕｂ．  Ｃｏ．  （１９９３）に見出すことができ、これはこのような教示に関して本明細書の一部として援用される。
【００８２】
本明細書に記載の別の実施形態は、１以上の突然変異を導入するための化学突然変異誘発物質又は電離放射線でのレンボルグ品種の突然変異誘発とその後の当技術分野で公知の方法による１以上の農業上有利な形質に関する選抜である。例えば、レンボルグ品種の種子を化学突然変異誘発物質で処理し、植え付け、次いで、得られた植物を除草剤耐性、耐寒性、耐乾性、又は耐虫性などの農業上有利な形質に関して選抜することができる。
【００８３】
倍加半数体の作出もまた、育種プログラムにおいて同型接合品種の開発のために使用可能である。倍加半数体は、異型接合性植物に由来する染色体のセットの倍加による完全な同型接合個体の作出によって生産される。本明細書の一部として援用されるＷａｎら，  “Ｅｆｆｉｃｉｅｎｔ  ｐｒｏｄｕｃｔｉｏｎ  ｏｆ  ｄｏｕｂｌｅｄ  ｈａｐｌｏｉｄ  ｐｌａｎｔｓ  ｔｈｒｏｕｇｈ  ｃｏｌｃｈｉｃｉｎｅ  ｔｒｅａｔｍｅｎｔ  ｏｆ  ａｎｔｈｅｒ−ｄｅｒｉｖｅｄ  ｍａｉｚｅ  ｃａｌｌｕｓ，”  Ｔｈｅｏｒ．  Ａｐｐｌ．  Ｇｅｎｅｔ．，  ７７：８８９−８９２  （１９８９）参照。
【００８４】
いずれの実施形態又はこれらの態様の範囲からも逸脱することなく本明細書に記載の組成物、方法、及び適用に対する好適な改変及び適合が行えることは関連分野の熟練者には容易に明らかとなろう。提供される植物品種、種子、組成物、工程、及び方法は例であって、特定の実施形態のいずれの範囲も限定するものではない。本明細書に開示される種々の実施形態、態様、及び選択肢は全て、いずれの変形又は反復で組み合わせてもよい。本明細書に記載の全ての植物品種、種子、雑種、交雑、組成物、配合物、方法、及び工程の範囲には、本明細書に記載の実施形態、態様、選択肢、例、及び選択物のあらゆる実際の又は潜在的な組合せが含まれる。本明細書に引用される全ての特許、刊行物、及び非特許文献はこれらの具体的な教示に関して本明細書の一部として援用される。本明細書のいずれの参照文献の引例も、そのような参照文献が先行技術であることを承認するものではない。本明細書の一部として援用される資料が本明細書と矛盾する又は一致しない場合には、本明細書がそのような資料に優先する。
【実施例】
【００８５】
実施例１
表１に概略が示される複数のチア（サルビア・ヒスパニカＬ．）品種を色の均一性及び種子収量に関して評価した。比較のため、下から２列目に本明細書に記載のチア（サルビア・ヒスパニカＬ．）レンボルグ品種を示す。３つのチア品種が均一な種子色を持っていた：ブラック・プエブラ、ハートランド、及びサヒ・アルバ９１４。
【００８６】
【表１】
2021506336.tif 000003
【００８７】
ブラック・プエブラは、メキシコのプエブラの農業地域で栽培されている近交系チア品種である。Ｍｕｎｏｚ，  “Ｃａｐｉｔａｌ  ｓｏｃｉａｌ  ｙ  ｅｍｐｒｅｓａ  ｒｕｒａｌ，  ｕｎａ  ｖｉｓｉｏｎ  ｒｕｒａｌ  ｄｅｓｄｅ  Ｍｅｘｉｃｏ；  ｅｌ  ｃａｓｏ  ｄｅ  ｕｎａ  ｅｍｐｒｅｓａ  ｐｒｏｄｕｃｔｏｒａ  ｄｅ  ｃｈｌａ  ｏｒｇａｎｉｃａ，”  Ｎｕｅｖａ  Ａｎｔｒｏｐｏｌｏｇｉａ  ２５（７７）：  １５−３０  （２０１２）参照。
【００８８】
ハートランド品種は、米国ケンタッキー州レキシントンのＵｎｉｖｅｒｓｉｔｙ  ｏｆ  Ｋｅｎｔｕｃｋｙ  Ｒｅｓｅａｒｃｈ  Ｆｏｕｎｄａｔｉｏｎが開発し、米国特許第８，５８６，８３１号に記載されている。ハートランドには２つの表現形態があり、一方は均一な黒色種子を有し、他方は均一な白色種子を有する。
【００８９】
サヒ・アルバ９１４品種は、米国デラウェア州ドーバーのＴＦＳＢ  ＬＬＣ社がアルゼンチンで開発したものであり、米国特許第９，６８６，９２６号に記載されている。
【００９０】
実施例２
レンボルグ品種の選抜
本明細書に記載のレンボルグチア（サルビア・ヒスパニカＬ．）品種は、メキシコのハリスコ州のＲａｎｃｈｏ  Ｅｌ  Ｐｅｔａｃａｌ農場で開発された。この品種は、高い白色種子色の均一性（例えば、１００％白色種子）を有する。レンボルグ品種はまた、ハートランド品種（１２３４ｍｇ）及びサヒ・アルバ９１４（１２８７ｍｇ）品種に比べて重い種子重（千粒当たりの重量：１４２７ｍｇ）を有する。
【００９１】
レンボルグ品種は、ピンタ品種で開始し、選抜基準の１つとして種子色を用い、６サイクルの選抜後に作出された。表２にこの選抜過程の概略を示す。図１にこの選抜過程での種子色の均一性の進行を示す。
【００９２】
【表２】
2021506336.tif 000004
【００９３】
最後の３回の個体選抜では、昆虫による受粉を回避するために主要花序（花茎、花梗、及び花を含む植物の完全な花頭）を覆ったので、選抜された植物で他殖は起こらなかった。加えて、基本種子は、自然受粉が存在しないように温室内で増やした。この過程で、５回の選抜サイクル内にほぼ完全な種子色の均一性が得られた。最後の２回の選抜サイクルで、１００％白色の種子が生産された（表２、図１；図９）。
【００９４】
品種の説明
種子の代表的サンプルがＡＴＣＣ特許受託番号ＰＴＡ−１２４７５８として寄託されているレンボルグチア（サルビア・ヒスパニカＬ．）品種は、２０１７年夏−秋生育季にメキシコのハリスコ州のＲａｎｃｈｏ  Ｅｌ  Ｐｅｔａｃａｌ農場で行われた平均１０回の観察に基づき、下記の形態学的及び物理的特徴を有することが認められた。比較のために同じ季節に同様の条件下で栽培したピンタ（原品種）、ホワイト・アカティック、及びブラック・プエブラのデータを示す。
【００９５】
【表３】
2021506336.tif 000005
【００９６】
図２〜９は、表３に挙げられているチアの４品種の形態学的特徴の写真比較を示す。
図２は、播種１０７日後の登熟植物の草丈を示す。図３は、開花期（播種７６日後）及び生理学的登熟（播種１０７日後）の主要花序の長さを示す。図４は、生理学的登熟時（播種１０７日後）の植物当たりの花序の数を示す。図５は、生理学的登熟時（播種１０７日後）の主要花序当たりの房の数を示す。図６は、生理学的登熟時（播種１０７日後）の主要花序当たりの果実を示す。図７は、開花期（播種７６日後）の花の大きさを示す。図８は、最下段の葉の計上を示す（播種４５日後）。図９は、播種１３７日後の収穫時の種子色を示す。
【００９７】
レンボルグ品種の顕著な形態学的特徴及び農業上有利な特徴には、登熟植物の草丈（１７６０ｍｍ）、主茎長（１４５０ｍｍ）、茎径（６ｍｍ）、植物当たりの節（１０）、植物当たりの花序（８）、植物当たりの分枝（８）、葉幅（６８ｍｍ）、葉長（１２３ｍｍ）、葉柄長（６０ｍｍ）、花序長（２５０ｍｍ）、主要花序の地表からの高さ（１５１０ｍｍ）、花序当たりの房（３０）、房当たりの小花（１０）、花長（１３ｍｍ）、萼長（７ｍｍ）、花冠長（６ｍｍ）、千粒当たりの重量（１４５３ｍｇ）、及び種子収量（１８５６ｋｇ／ｈａ）が含まれる。何ら理論に縛られるものではないが、レンボルグ品種のより高い種子収量は、花序長の増大、花序当たりの房の数の増加、花長の増大、花冠長の増大、又はこれらの組合せによるものであり得る。レンボルグ品種の他の農業上有利な特徴を下記の実施例で示す。
【００９８】
実施例３
生産高の増大
現在利用可能な商業用チア品種は生産高が低い。ハートランド及びサヒ・アルバ９１４チア品種は種子収量の改良に関して選抜されたとは思われない。米国特許第８，５８６，８３１号及び同第９，６８６，９２６号参照。メキシコのハリスコ州にて、２０１６年１０月〜２０１７年５月の間の３回の植付け日で行った試験では、レンボルグ品種はホワイト・アカティック、ピンタ、及びブラック・プエブラ品種よりも種子収量が多かったことが示された（表４）。種子は２０１６年１０月２９日；２０１６年１２月１５日；及び２０１７年１月２０日に播種し、得られた植物からの種子をそれぞれ２０１７年２月２６日（播種１２０日後）；２０１７年４月２４日（播種１３０日後）；及び２０１７年５月２５日（播種１２５日後）に収穫した。これらの結果はレンボルグ品種の高い生産能を示す。
【００９９】
【表４】
2021506336.tif 000006
【０１００】
実施例４
種子重の増加
レンボルグ品種の他と異なる特徴は、その高い種子重である。平均してレンボルグ品種は他の３つのチア品種より大きく重い種子を生産する（表５）。種子は２０１６年１０月２９日；２０１６年１２月１５日；及び２０１７年１月２０日に播種し、得られた植物からの種子をそれぞれ２０１７年２月２６日（播種１２０日後）；２０１７年４月２４日（播種１３０日後）；及び２０１７年５月２５日（播種１２５日後）に収穫した。
【０１０１】
【表５】
2021506336.tif 000007
【０１０２】
実施例５
開花及び登熟までの均一性
レンボルグ品種は、開花及び登熟への均一な生育時機を有する（表６参照）。レンボルグ品種は、播種５５〜６３日後に開花し、播種１１１〜１２０日後に登熟する。これらの特徴により、レンボルグ植物集団は、捕食者により引き起こされる傷害を最小とし、収穫時の種子損失を減らすことが可能となる。ホワイト・アカティック及びブラック・プエブラは、これら２つのパラメーターについては同等の性能を有するが、収量が低い。
【０１０３】
【表６】
2021506336.tif 000008
【０１０４】
実施例６
冬−春季の種子生産の改良
現在メキシコで栽培されているチアの典型的品種は、冬−春季にそれらを植え付けて栽培しても有意な種子収量を生産することができない（表７参照）。レンボルグ品種は冬季により高い種子収量を有する。ホワイト・アカティック品種は冬季に種子を生産できるが、レンボルグ品種よりも収量が低い。加えて、図１１に示されるように、ブラック・プエブラ及びピンタ品種は、冬季に植え付けた場合、生理学的登熟に達することができなかった。
【０１０５】
【表７】
2021506336.tif 000009
【０１０６】
実施例７
肥料応答の改良
レンボルグ品種の高い遺伝的均一性は、種子を生産するために施与した窒素肥料を利用する効率を高めることを可能とする。この栽培品種の高い生産高は、肥料、特に、窒素に富む肥料に対する高い応答と相関している。平均して、レンボルグ品種は、施与した窒素１ｋｇ当たり１１．２ｋｇの種子を生産する。この値は、一般に栽培されている他の３つのメキシコ栽培品種に関して見られる窒素利用効率よりも高い（表８参照）。レンボルグ、ホワイト・アカティック、ブラック・プエブラ、及びピンタの窒素利用効率は、施与さ
れたＮ  １ｋｇ当たりそれぞれ１１．２、７．０、６．６、及び５．５ｋｇであった。
【０１０７】
【表８】
2021506336.tif 000010
【０１０８】
レンボルグ品種が示す高い遺伝的均一性のために、今後、この品種は雑種を作出するために第１の親（父方）又は第２の親（母方）として使用することができる。雑種植物は通常、選抜によって作出される品種よりも高い種子収量を有する。加えて、この栽培品種は、従来の育種又はトランスジェニック法によって他の栽培品種に均一色、種子重の増大、及び収量形質の増大を導入するために使用することができる。
【０１０９】
実施例８
冬季中の種子収量
レンボルグ品種の最良の種子収量は、それが秋及び冬季中に播種される場合に達成される。秋及び冬に植え付ける利点は、害虫及び病害を防除するために農薬又は匹敵する有機製品を施与する必要がないということである。高い種子収量を達成するためにそれぞれ２００、１００、２００、２５０、及び５０ｋｇ／ｈａのＮ、Ｐ2Ｏ5、Ｋ2Ｏ、Ｓ、並びに微量栄養素の混合物を含む複合肥料を施与することが有利である（表９）。
【０１１０】
【表９】
2021506336.tif 000011
【０１１１】
実施例９
夏季の種子収量
レンボルグ品種はまた夏季に植え付けることもできる。一般に夏季には害虫及び病害を防除するために農薬又は匹敵する有機製品が必要とされる。種子収量は一般に、秋及び冬季に得られるものに比べて夏季では低い（表１０；表９参照）。
【０１１２】
【表１０】
2021506336.tif 000012
【０１１３】
生物寄託
チア（サルビア・ヒスパニカＬ．）品種レンボルグの種子の代表的サンプルは、２０１８年２月１３日にアメリカン・タイプ・カルチャー・コレクション（ＡＴＣＣ）、１０８０１  Ｕｎｉｖｅｒｓｉｔｙ  Ｂｌｖｄ．，  Ｍａｎａｓｓａｓ，  ヴァージニア州，  ２０１１０，  アメリカ合衆国に寄託され、２０１８年３月１３日にＡＴＣＣ特許受託番号ＰＴＡ−１２４７５８が割り当てられた。寄託物は特許手続上の微生物の寄託の国際承認に関するブダペスト条約の条項の下、少なくとも３０年及び寄託物のサンプルの分譲の最新の申請が寄託機関により受理された後少なくとも５年の期間、ＡＴＣＣ寄託機関で維持される。出願者らは、サンプルの生存率の表示の提供を含む、３７Ｃ．Ｆ．Ｒ．§§１．８０１〜１．８０９の要件の全てを満たした。本明細書に記載の条件に従って、利用可能性を保証するために必要に応じてＡＴＣＣにさらなる寄託が行われる。出願者らは、本願からの特許の発行の後にＡＴＣＣから寄託材料の利用可能性に関する制限は課せられていない。出願者らには、生物材料の移動又は世界的商取引におけるその輸送に関する法律により課せられるいずれの制限も放棄する権限はない。出願者らは、いずれの国におけるものであれ本願から発行されるいずれの特許下で、又は米国植物品種保護法（７  Ｕ．Ｓ．Ｃ．  §  ２３２１下記参照）又は他の国際若しくは外国植物品種保護制度下で付与される出願者らの権利も放棄するものではない。
【図１】
2021506336.tif 000013
【図２】
2021506336.tif 000014
【図３】
2021506336.tif 000015
【図４】
2021506336.tif 000016
【図５】
2021506336.tif 000017
【図６】
2021506336.tif 000018
【図７】
2021506336.tif 000019
【図８】
2021506336.tif 000020
【図９】
2021506336.tif 000021
【図１０】
2021506336.tif 000022
【国際調査報告】
2021506336.tif 000023
2021506336.tif 000024